(57)【要約】【課題】画像形成装置を、熱源である定着装置等の周辺に温度検出手段を設けるように構成した場合には、装置内を冷却する必要のない温度でも、定着装置等周辺の検知温度により制御されるファンはある一定時間を稼動するので必要以上に冷却ファンが駆動されてしまうこととなり、無駄な電力消費を招き、ファンの寿命を縮めるだけでなく、ファンの駆動音による騒音も問題となる。【解決手段】中間転写体に形成されたトナー像を記録材へ転写することにより画像を形成するための画像形成装置であって、前記中間転写体内において、前記中間転写体内部もしくは表面周辺の温度を検知するための第１の温度検知手段と、前記画像形成装置内の温度上昇を抑制するための冷却手段と、前記第１の温度検知手段による第１の検知温度に基づいて、前記冷却手段の駆動動作を制御する制御手段とを備える。【選択図】図１
2004117732.tif 000002
【特許請求の範囲】
【請求項１】
中間転写体に形成されたトナー像を記録材へ転写することにより画像を形成するための画像形成装置であって、
前記中間転写体内において、前記中間転写体内部もしくは表面周辺の温度を検知するための第１の温度検知手段と、
前記画像形成装置内の温度上昇を抑制するための冷却手段と、
前記第１の温度検知手段による第１の検知温度に基づいて、前記冷却手段の駆動動作を制御する制御手段と
を備えることを特徴とする画像形成装置。
【請求項２】
前記制御手段は、前記第１の検知温度に基づいて、前記冷却手段の駆動時間を決定することを特徴とすることを特徴とする請求項１に記載の画像形成装置。
【請求項３】
前記画像形成装置内又は前記画像形成装置外の温度を検知するための第２の温度検知手段を更に備え、
前記制御手段は、さらに前記第２の温度検知手段により検知された第２の検知温度とに基づいて前記冷却手段の動作を制御することを特徴とする請求項１又は請求項２に記載の画像形成装置。
【請求項４】
前記制御手段は、
前記第１の検知温度と第１の基準温度とを比較する第１の比較手段と、
前記第２の検知温度と第２の基準温度とを比較する第２の比較手段とを備え、
前記第１の比較手段と前記第２の比較手段とにおける比較結果に基づいて前記冷却手段の動作を制御することを特徴とする請求項３に記載の画像形成装置。
【請求項５】
前記制御手段は、前記第１の比較手段において、前記第１の検知温度が前記第１の基準温度未満であった場合に、前記冷却手段の動作を停止することを特徴とする請求項４に記載の画像形成装置。
【請求項６】
前記制御手段は、前記第１の比較手段において、前記第１の検知温度が前記第１の基準温度以上であり、前記第２の比較手段において、前記第２の検知温度が前記第２の基準温度未満であった場合に、前記冷却手段を第１の駆動時間だけ駆動させることを特徴とする請求項４に記載の画像形成装置。
【請求項７】
前記制御手段は、前記第１の比較手段において、前記第１の検知温度が前記第１の基準温度以上であり、前記第２の比較手段において、前記第２の検知温度が前記第２の基準温度以上であった場合に、前記冷却手段を第２の駆動時間だけ駆動させることを特徴とする請求項４に記載の画像形成装置。
【請求項８】
前記制御手段は、前記第１の比較手段において、前記第１の検知温度が前記第１の基準温度未満であった場合に、前記冷却手段を第１の回転数において駆動させることを特徴とする請求項４に記載の画像形成装置。
【請求項９】
前記制御手段は、前記第１の比較手段において、前記第１の検知温度が前記第１の基準温度以上であり、前記第２の比較手段において、前記第２の検知温度が前記第２の基準温度未満であった場合に、前記冷却手段を第２の回転数において駆動させることを特徴とする請求項４に記載の画像形成装置。
【請求項１０】
前記制御手段は、前記第１の比較手段において、前記第１の検知温度が前記第１の基準温度以上であり、前記第２の比較手段において、前記第２の検知温度が前記第２の基準温度以上であった場合に、前記冷却手段を第３の回転数において駆動させることを特徴とする請求項４に記載の画像形成装置。
【請求項１１】
前記中間転写体は、少なくとも一つの駆動ローラと、従動ローラ、その間に掛け渡されたシームレスベルトで構成され、前記第１の温度検知手段は、前記駆動ローラ、前記従動ローラ及び前記シームレスベルトのいずれかの近傍温度を検出することを特徴とする請求項１乃至請求項７のいずれか１項に記載の画像形成装置。
【請求項１２】
前記画像形成装置の電源のＯＦＦ情報を検知するＯＦＦ情報検知手段を更に備え、前記第１の温度検知手段は、前記電源ＯＦＦ情報の検知に応じて、前記第１の検知温度を検知することを特徴とする請求項１乃至請求項７のいずれか１項に記載の画像形成装置。
【請求項１３】
前記画像形成装置の電源のＯＦＦ情報を検知するＯＦＦ情報検知手段を更に備え、前記第１の温度検知手段及び前記第２の温度検知手段は、前記電源ＯＦＦ情報の検知に応じて、前記第１及び第２の検知温度を検知することを特徴とする請求項３乃至請求項７のいずれか１項に記載の画像形成装置。
【請求項１４】
内部温度の上昇を抑制するための冷却手段を備え、中間転写体に形成されたトナー像を記録材へ転写することにより画像を形成するための画像形成装置の制御方法であって、
前記中間転写体内において、前記中間転写体内部もしくは表面周辺の温度を検知するための第１の温度検知工程と、
前記第１の温度検知工程による第１の検知温度に基づいて、前記冷却部の駆動動作を制御する制御工程と
を備えることを特徴とする画像形成装置の制御方法。
【請求項１５】
前記制御工程は、前記第１の検知温度に基づいて、前記冷却手段の駆動時間を決定することを特徴とすることを特徴とする請求項１４に記載の画像形成装置の制御方法。
【請求項１６】
前記画像形成装置内又は前記画像形成装置外の温度を検知するための第２の温度検知工程を更に備え、
前記制御工程では、さらに前記第２の温度検知工程により検知された第２の検知温度とに基づいて前記冷却手段の動作が制御されることを特徴とする請求項１４又は請求項１５に記載の画像形成装置の制御方法。
【請求項１７】
前記制御工程は、
前記第１の検知温度と第１の基準温度とを比較する第１の比較工程と、
前記第２の検知温度と第２の基準温度とを比較する第２の比較工程とを備え、前記第１の比較工程と前記第２の比較工程とにおける比較結果に基づいて前記冷却手段の動作が制御されることを特徴とする請求項１６に記載の画像形成装置の制御方法。
【請求項１８】
前記制御工程では、前記第１の比較工程において、前記第１の検知温度が前記第１の基準温度未満であった場合に、前記冷却手段の動作が停止されることを特徴とする請求項１７に記載の画像形成装置の制御方法。
【請求項１９】
前記制御工程では、前記第１の比較工程において、前記第１の検知温度が前記第１の基準温度以上であり、前記第２の比較工程において、前記第２の検知温度が前記第２の基準温度未満であった場合に、前記冷却手段が第１の駆動時間だけ駆動されることを特徴とする請求項１７に記載の画像形成装置の制御方法。
【請求項２０】
前記制御工程では、前記第１の比較工程において、前記第１の検知温度が前記第１の基準温度以上であり、前記第２の比較工程において、前記第２の検知温度が前記第２の基準温度以上であった場合に、前記冷却手段が第２の駆動時間だけ駆動されることを特徴とする請求項１７に記載の画像形成装置の制御方法。
【請求項２１】
前記制御工程では、前記第１の比較工程において、前記第１の検知温度が前記第１の基準温度未満であった場合に、前記冷却手段が第１の回転数において駆動されることを特徴とする請求項１７に記載の画像形成装置の制御方法。
【請求項２２】
前記制御工程では、前記第１の比較工程において、前記第１の検知温度が前記第１の基準温度以上であり、前記第２の比較工程において、前記第２の検知温度が前記第２の基準温度未満であった場合に、前記冷却手段が第２の回転数において駆動されることを特徴とする請求項１７に記載の画像形成装置の制御方法。
【請求項２３】
前記制御工程では、前記第１の比較工程において、前記第１の検知温度が前記第１の基準温度以上であり、前記第２の比較工程において、前記第２の検知温度が前記第２の基準温度以上であった場合に、前記冷却手段が第３の回転数において駆動されることを特徴とする請求項１７に記載の画像形成装置の制御方法。
【請求項２４】
前記中間転写体は、少なくとも一つの駆動ローラと、従動ローラ、その間に掛け渡されたシームレスベルトで構成され、前記第１の温度検知工程では、前記駆動ローラ、前記従動ローラ及び前記シームレスベルトのいずれかの近傍温度が検出されることを特徴とする請求項１４乃至請求項２０のいずれか１項に記載の画像形成装置の制御方法。
【請求項２５】
前記画像形成装置の電源のＯＦＦ情報を検知するＯＦＦ情報検知工程を更に備え、前記第１の温度検知工程では、前記電源ＯＦＦ情報の検知に応じて、前記第１の検知温度が検知されることを特徴とする請求項１４乃至請求項２０のいずれか１項に記載の画像形成装置の制御方法。
【請求項２６】
前記画像形成装置の電源のＯＦＦ情報を検知するＯＦＦ情報検知工程を更に備え、前記第１の温度検知工程及び前記第２の温度検知工程では、前記電源ＯＦＦ情報の検知に応じて、前記第１及び第２の検知温度が検知されることを特徴とする請求項１６乃至請求項２０のいずれか１項に記載の画像形成装置の制御方法。
【請求項２７】
請求項１４乃至請求項２６のいずれか１項に記載の画像形成装置の制御方法をコンピュータに実行させるための画像形成装置の制御プログラム。
【請求項２８】
請求項２７に記載の画像形成装置の制御プログラムを格納するコンピュータで読取り可能な記憶媒体。
【発明の詳細な説明】
【０００１】
【発明の属する技術分野】
本発明は、電子写真方式、静電記録方式等の作像プロセスを用いて、被記録材（転写材・印刷用紙・感光紙・静電記録紙等）に転写方式、あるいは直接方式で形成担持させた目的の画像情報の未定着トナー像を固着像として熱定着処理する加熱定着装置を有した画像形成装置に関するものである。
【０００２】
【従来の技術】
画像形成にトナーを用いる電子写真方式の複写機・プリンタ・ファクシミリ等の画像形成装置には、機内の熱や空気を装置外部に排出させるために、ファンが取り付けられている。近年は装置が大型化して構成が複雑化していることに伴い、装置稼動中や電源オフ後の熱処理の問題から、複数のファンを用いて機内の熱の排出を行うようにしている。このように画像形成装置に複数のファンを取り付け、稼動させることにより、騒音や消費電力の増加といった弊害が生じ問題となっている。
【０００３】
そのため、装置の熱源である定着装置やその周辺に温度検出手段を設け、その検知温度に応じて冷却用のファンを制御し、電源をオフ後には、その検知温度よりファンを駆動させる時間制御していた。
【０００４】
【発明が解決しようとする課題】
しかしながら、上記のような装置の熱源である定着装置やその周辺に温度検出手段を設ける構成では、装置の熱源及びその近傍の温度を検知しているために、実際に冷却を必要とする装置内部品の温度を把握することは困難である。装置内の熱源である定着装置から発せられた熱は、時間とともに装置全体に広がり、機内温度を上昇させる。しかしながら、装置の電源を入れ、少数枚数印字した後電源をオフしても、定着装置および定着装置近傍の検知温度は、すでに高温となっている。そのため、定着装置の熱容量を考えると、装置の電源オフ後定着装置の温度は急には低下せず、電源を入れてから印字よりも印字待機時間の方が長い状況、もしくは短時間使用した状況、つまり機内を冷却する必要のない温度でも、定着装置および定着装置近傍の検知温度により制御されるファンはある一定時間を稼動するので必要以上に冷却ファンが駆動されてしまうこととなり、無駄な電力消費を招き、ファンの寿命を縮めるだけでなく、ファンの駆動音による騒音も問題となる。
【０００５】
【課題を解決するための手段】
本出願に係る発明の目的は、上述した従来の構成が有する問題点を解消し、新規に温度検出手段を設けることなく、実際に温度に対して気を付けなければならない高温に弱い部品やパーツの温度を効率よく検知し、その温度を元に冷却ファンを制御することによって、本体内部を冷却する。
【０００６】
より具体的には、中間転写体に形成されたトナー像を記録材へ転写することにより画像を形成するための画像形成装置であって、前記中間転写体内において、前記中間転写体内部もしくは表面周辺の温度を検知するための第１の温度検知手段と、前記画像形成装置内の温度上昇を抑制するための冷却手段と、前記第１の温度検知手段による第１の検知温度に基づいて、前記冷却手段の駆動動作を制御する制御手段とを備える。
【０００７】
上記課題を解決するための本発明は更に、前記画像形成装置内又は前記画像形成装置外の温度を検知するための第２の温度検知手段を更に備え、前記制御手段は、さらに前記第２の温度検知手段により検知された第２の検知温度とに基づいて前記冷却手段の動作を制御してもよい。その際、前記制御手段は、前記冷却手段の駆動時間又は回転数を制御することができる。
【０００８】
【発明の実施の形態】
以下、本発明の実施の形態について添付図面を参照して詳細に説明する。
【０００９】
【第１の実施形態】
図１、図３は、本発明の第１の実施の形態に対応する図面である。本発明の第１の実施形態において、図１は画像形成装置の断面の概略を示した図であり、図３は装置１０１内部を冷却するファン（以下冷却ファン）１０５を制御するための処理のフローチャートを示す。装置１０１は、装置１０１内に熱源となる定着装置１０２とトナー像を担持する中間転写体１０３、装置１０１各部を制御する制御基板１０４、冷却ファン１０５を有している。その中間転写体１０３は、シームレスベルト１０６を駆動する駆動ローラ１０７の近傍にサーミスタ１０８を有する。このサーミスタ１０８は、中間転写体１０３における印字精度をフィードバック制御するために、中間転写体１０３の温度や装置１０１の置かれている環境の温度をモニタするために設置されている。
【００１０】
サーミスタ１０８を含む本発明における温度検知部の構成の一例を図６に示す。Ｖｃｃの電圧を抵抗Ｒ１０３と温度依存の抵抗値変動素子ＴＨ１０１とで分圧した電圧ＶｔｈとＶｃｃの電圧を抵抗Ｒ１０４と抵抗Ｒ１０５とで分圧した電圧Ｖ１とをコンパレート機能を持つＩＣ１０１ａで比較を行い、電圧Ｖ１が電圧Ｖｔｈよりも低い時はＩＣ１０１はＬＯＷを出力しのデジタルポートに入力する。また、電圧Ｖ１が電圧Ｖｔｈよりも高い時はＩＣ１０１ａはＨＩＧＨを出力し、制御基板１０４のデジタルポートＤＰ１に入力する。
【００１１】
なお、冷却ファン１０５の動作を制御するための温度設定は、設定温度での電圧Ｖｔｈに合わせて基準電圧Ｖ１を設定するように抵抗Ｒ１０４とＲ１０５を決定することで行う。
【００１２】
このように、本実施形態では温度検知部から制御基板１０４へ入力される信号がＨＩＧＨ／ＬＯＷのいずれであるかによって、装置内の温度が設定温度よりも高いか低いかを判定することができる。
【００１３】
一般的にこのような構成の装置１０１において、熱源の定着装置１０２より上部に位置する感光体４Ｙ、４Ｍ、４Ｃ、４Ｋや中間転写体１０３等は、電源をオフしてからしばらくの間温度が上昇し、部品の配置により誤差があるものの１０分程度で最大温度に達する。そこで装置１０１の電源ＯＦＦによりオフ状態になった時、制御基板１０４は、装置１０１内温度が著しく上昇しないように、温度と時間との組合せで、装置１０１内の所定箇所、例えば中間転写体１０３や中間転写体１０３の残留トナーをかき取るクリーナ１０９、感光体４Ｙ、４Ｍ、４Ｃ、４Ｋおよびトナーカートリッジ５Ｙ、５Ｍ、５Ｃ、５Ｋといった熱による悪影響を受けやすい部位の温度が、それぞれ許容温度（例えば４０℃）を超えないように冷却ファン１０５を駆動制御する。
【００１４】
まず、ステップＳ３０１において装置１０１のメインスイッチがユーザーにより押下されると言った動作に応じて、制御基板１０４が電源ＯＦＦ情報の入力を検知すると、ステップＳ３０２において制御基板１０４ではサーミスタ１０８で検知された温度の検出信号に基づき、検出温度Ｔが所定値Ｔ１（例えば３５℃）以上であるか否かを判定し、検出温度ＴがＴ１未満であれば、騒音防止やエネルギー消費削減のために冷却ファン１０５の駆動を停止させ（ステップＳ３０４）、Ｔ１以上であれば、冷却ファン１０５を所定時間Ｍ１（例えば１０分）だけ駆動させ（ステップＳ３０３）、制御基板１０４のタイマー機能により時間Ｍ１が経過した時に停止させる（ステップＳ３０４）。冷却ファン１０５の停止の後、制御基板１０４はステップＳ３０５において本体電源をＯＦＦするように制御する。
【００１５】
所定値Ｔ１を３５℃とするのはあくまで例示であり、感光体４Ｙ等やトナーカートリッジ５Ｙ等の熱による影響を受けやすい部位の温度を判定するために、任意に設定することができる。
【００１６】
また、所定時間Ｍ１を１０分とするのはあくまで例示であり、１０分間冷却ファン１０５を駆動させれば、上記装置１０１の所定箇所の温度を許容温度以下に抑えることができるからである。従って、冷却ファン１０５の冷却能力に応じて当該所定時間Ｍ１を任意に１０分より長くしたり短くしたりすることができる。
【００１７】
このように、本来は中間転写体の印字精度をフィードバック制御するために利用されている中間転写体１０３のサーミスタ１０８によって検知される検知温度を利用することで、新たにサーミスタ１０８等の温度検出手段を設けることなく、冷却ファン１０５を制御することができ、ファンの寿命を向上させ、騒音や消費エネルギーを極力抑えて、装置１０１内温度を許容温度以下に保つことが可能である。
【００１８】
【第２の実施形態】
図２、図４は、本発明の第２の実施の形態に対応する図面である。本実施の形態における機械的構造は第１の実施の形態のものとほぼ同じであるから、第１の実施の形態に示した構造要素と同じものは図２においても図１と同じ符号で表示し、これらの構造要素については説明を省略する。また、第２の実施の形態の動作も第１の実施の形態と同じなので説明を省略する。
【００１９】
図２において、本第２の実施の形態で第１の実施の形態と異なるのは、装置１０１内に、中間転写体に内包したサーミスタ１０８の他に、装置１０１の置かれている環境温度を検知する環境センサ２０１を有することである。環境センサ２０１についても図６に示す温度検知部と同様に構成できる。図４は、本第２の実施の形態における冷却ファン１０５を制御する処理のフローチャートを示す。
【００２０】
本実施の形態においては、装置１０１のメインスイッチにより電源ＯＦＦ情報の入力を検知すると（ステップＳ４０１）、制御基板１０４が、サーミスタ１０８および環境センサ２０１で検知された温度の検出信号に基づき、検出温度がそれぞれの所定値、例えばサーミスタ１０８の検出温度ＴｓがＴ２（例えば３５℃）以上であるか否かの判定（ステップＳ４０２）に加え、環境センサ２０１の検出温度ＴｃがＴ３（例えば３０℃）以上であるか否かを判定し（ステップＳ４０３）、冷却ファン１０５を制御する。
【００２１】
冷却ファン１０５は、サーミスタ１０８の検出温度ＴｓがＴ２未満であれば、騒音防止やエネルギー消費削減のために駆動を停止し（ステップＳ４０６）、サーミスタ１０８の検出温度ＴｓがＴ２以上、かつ環境センサ２０１の検出温度ＴｃがＴ３未満であれば、所定時間Ｍ２（例えば１０分）の間だけ冷却ファン１０５を駆動し（ステップＳ４０５）、制御基板１０４のタイマー機能によりＭ２分経過した時に停止する（ステップＳ４０６）。
【００２２】
またサーミスタ１０８の検出温度ＴｓがＴ２以上、かつ環境センサ２０１の検出温度ＴｃがＴ３以上であれば、冷却ファン１０５を所定時間Ｍ３（例えば２０分）だけ駆動し（ステップＳ４０４）、制御基板１０４のタイマー機能によりＭ３だけ経過した時に停止する（ステップＳ４０６）。
【００２３】
上記において所定時間Ｍ２及びＭ３の例をそれぞれ１０分及び２０分としたのは、環境センサ２０１の検出温度Ｔｃが３０℃以下の場合に１０分間冷却ファン１０５を駆動させる、或いは環境センサ２０１の検出温度Ｔｃが３０℃以上の場合、２０分間冷却ファン１０５を駆動させることにより、上記装置１０１の所定箇所の温度を許容温度以下に抑えられるからである。よって、サーミスタ１０８による検出温度及び環境センサによる検出温度の判定基準であるＴ２及びＴ３の値に応じて、任意に所定時間Ｍ２、Ｍ３を変更することができるのは言うまでもない。
【００２４】
このように従来は別の用途で使用していた中間転写体１０３のサーミスタ１０８に加え、環境センサ２０１の検出温度を利用して冷却ファン１０５を適応的に制御して必要な時間だけ駆動することにより、ファンの寿命を向上させ、騒音や消費エネルギーを極力抑えて、装置１０１内温度を許容温度以下に保つことが可能となる。
【００２５】
【第３の実施形態】
本実施の形態における画像形成装置の構造は第２の実施の形態のものとほぼ同じであるのでその説明を省略する。本実施形態に対応する本発明は、第１と第２の実施形態における発明とは異なり、画像形成装置１０１の印字中および印字待機中においても、冷却ファン１０５の稼動や回転数を制御することを特徴とする。図５は、本第３の実施の形態における冷却ファン１０５を制御する処理のフローチャートを示す。
【００２６】
本実施形態においては、装置１０１の印字中および印字待機中、制御基板１０４が、サーミスタ１０８および環境センサ２０１で検知された温度の検出信号に基づき、検出温度がそれぞれの所定値、例えばサーミスタ１０８の検出温度ＴｓがＴ４（例えば３５℃）以上であるか否かの判定（ステップＳ５０１）に加え、環境センサ２０１の検出温度ＴｃがＴ５（例えば３０℃）以下であるか否かを判定（ステップＳ５０２）を行って冷却ファン１０５を制御する。
【００２７】
もし、サーミスタ１０８の検出温度ＴｓがＴ４未満であれば、冷却ファン１０５は、制御基板１０４により予め設定された回転数Ａで駆動され（ステップＳ５０３）、サーミスタ１０８の検出温度ＴｓがＴ４以上、かつ環境センサ２０１の検出温度ＴｃがＴ５未満であれば、冷却ファン１０５は、予め設定された回転数Ｂで駆動するように制御される（ステップＳ５０４）。またサーミスタ１０８の検出温度ＴｓがＴ４以上、かつ環境センサ２０１の検出温度ＴｃがＴ５以上であれば、冷却ファン１０５は予め設定された回転数Ｃで駆動するように制御される（ステップＳ５０５）。
【００２８】
上記の冷却ファン１０５の回転数Ａは、０もしくは低回転数（例えば１５００ｒｐｍ）に設定されており、回転数Ｂ（例えば２５００ｒｐｍ）、回転数Ｃ（例えば３０００ｒｐｍ）の順に高回転数に設定されている。
【００２９】
このように本実施形態では、サーミスタ１０８および環境センサ２０１により検出される検出温度を利用して、必要以上に冷却ファン１０５を稼動させないよう回転数を設定することにより、ファンの寿命を向上させ、騒音や消費エネルギーを極力抑えて、装置１０１内温度を許容温度以下に保つことが可能である。
【００３０】
【発明の効果】
以上説明したように、本出願に係る発明によれば、定着装置といった熱源から離れた位置に温度検出部を設け、本体装置内の昇温状態を把握することで、熱に弱い部材が所定温度を超えないように制御することができる。
【００３１】
また、印字待機時や印字時といった本体電源ＯＮ時においては冷却ファンの回転数を制御し、本体電源ＯＦＦ時には装置内の温度状況に応じて冷却ファンの駆動時間を適応的に制御をするので、無駄な電力消費がなくなり、ファンの寿命の向上とファン駆動音による騒音を抑えることができる。
【００３２】
また画像形成装置内の温度を把握するための温度検出部として、中間転写体に具備される既存の温度検出部を利用することにより、温度検出ポイントを余分に増やすことなく低コスト化が図れる。
【００３３】
さらに画像形成装置内に具備した他の温度検出部の検出値を併用することで、より正確に放置内部の昇温状態を把握でき、その結果冷却ファンを最適な回転数と時間をもって、制御することが可能である。
【図面の簡単な説明】
【図１】本発明による画像形成装置の第１の実施形態を示した断面図である。
【図２】本発明による画像形成装置の第２及び第３の実施形態を示した断面図である。
【図３】本発明の第１の実施形態に対応した処理のフローチャートである。
【図４】本発明の第２の実施形態に対応した処理のフローチャートである。
【図５】本発明の第３の実施形態に対応した処理のフローチャートである。
【図６】本発明における温度検知手段の構成の一例を示す図である。
【符号の説明】
１０１　…　画像形成装置
１０２　…　定着装置
１０３　…　中間転写体
１０４　…　制御基板
１０５　…　冷却ファン
１０６　…　シームレスベルト
１０７　…　駆動ローラ
１０８　…　サーミスタ
１０９　…　クリーナ
２０１　…　環境センサ
４Ｙ、４Ｍ、４Ｃ、４Ｋ　…　感光体
５Ｙ、５Ｍ、５Ｃ、５Ｋ　…　トナーカートリッジ
【図１】
2004117732.tif 000003
【図２】
2004117732.tif 000004
【図３】
2004117732.tif 000005
【図４】
2004117732.tif 000006
【図５】
2004117732.tif 000007
【図６】
2004117732.tif 000008